(57)【要約】【課題】レバーの回動作業性の低下を来すことなく慣性ロック機能の信頼性を確保する。【解決手段】レバー３０の慣性力Ｆは、嵌合抵抗Ｒの発生時期とほぼ同時期に発生するので、レバー３０の慣性力Ｆは減衰しないうちに嵌合抵抗Ｒに対して有効に作用し、慣性ロック機能の信頼性が高い。慣性力Ｆと嵌合抵抗Ｒの発生時期を同期させたことにより、当初の慣性力Ｆを過大に設定する必要もないので、作業性は低下しない。慣性力Ｆと嵌合抵抗Ｒの発生時期を同期させる手段として、慣性力発生時期を遅らせたので、嵌合抵抗の発生時期を早めた場合のようにレバーの全ストロークを小さくする必要がなく、回動ストロークの縮小に起因する作業性の低下が回避される。【選択図】  図８
2004303440.tif 000002
【特許請求の範囲】
【請求項１】
第１端子金具を備えた第１ハウジングと、
前記第１ハウジングに回動可能に支持され、カム溝を備えたレバーと、
カムフォロアを有し、第２端子金具を備えた第２ハウジングと、
前記レバーが前記カム溝に対する前記カムフォロアの進入を許容する初期位置にある状態では、前記第１と第２の両端子金具が非接触であり、
前記初期位置にある前記レバーを嵌合方向に向かって回動させる過程では、前記カム溝と前記カムフォロアとの係合によるカム作用により前記両ハウジングが嵌合されるとともに、前記レバーの回動の途中で前記第１と第２の両端子金具が接触して嵌合抵抗が発生するようになっているレバー式コネクタにおいて、
前記第１ハウジングと前記レバーのうちいずれか一方には撓みロック片が設けられているとともに、他方には、前記レバーの嵌合方向への回動が前記初期位置よりも先方であり且つ前記嵌合抵抗の発生位置とほぼ同じ位置又は前記嵌合抵抗の発生位置よりも手前の位置まで進んだところで前記撓みロック片に突き当たる係止部が設けられており、
前記撓みロック片と前記係止部とが突き当たっている状態において前記嵌合抵抗を上回る回動力を前記レバーに付与することにより、前記撓みロック片が弾性撓みしつつ前記係止部から解離し、解離直後の慣性により前記レバーの回動が正規嵌合位置へ一気に進む構成としたことを特徴とするレバー式コネクタ。
【請求項２】
前記レバーの回動過程では前記レバーの操作部が前記第１ハウジングの外面に沿うように円弧軌跡を描くようになっているレバー式コネクタにおいて、
前記撓みロック片と前記係止部とが突き当たる状態では、前記レバーの操作部が前記第１ハウジングの外面から最も離れて位置する構成としたことを特徴とする請求項１記載のレバー式コネクタ。
【請求項３】
前記撓みロック片は、前記第１ハウジング又は前記レバーに対して両端支持されていることを特徴とする請求項１又は請求項２記載のレバー式コネクタ。
【請求項４】
前記撓みロック片と前記係止部との突き当て方向を、前記撓みロック片の端部同士を結ぶ長さ方向とほぼ同じ方向としたことを特徴とする請求項３記載のレバー式コネクタ。
【発明の詳細な説明】
【０００１】
【発明の属する技術分野】
本発明は、慣性ロック手段を備えたレバー式コネクタに関するものである。
【０００２】
【従来の技術】
慣性ロック手段を備えたレバー式コネクタとして、特許文献１に開示されているものがある。このレバー式コネクタでは、雄ハウジングのフード部の側壁に撓みロック片を形成し、この撓みロック片にレバーを係止させることにより、レバーを初期位置にロックしておくようになっている。この状態から、雄ハウジングのフード部に雌ハウジングを浅く嵌合し、レバーのカム溝の入口に雌ハウジングのカムピンを進入させる。そして、両ハウジングの嵌合抵抗を上回る大きな回動操作力をレバーに付与すると、撓みロック片が弾性撓みしつつレバーから解離し、解離直後の慣性によってレバーの回動が一気に正規嵌合位置まで進み、レバーの回動に伴ってカム溝とカムピンとの係合によるカム作用により、雌雄両ハウジングが正規嵌合状態に至る。
【０００３】
【特許文献１】
特開平１０−２１４６５３号公報
【０００４】
【発明が解決しようとする課題】
かかるレバー式コネクタでは、レバーが初期位置に保持されている状態で両ハウジングを嵌合させるのであるが、この嵌合は手作業で行われ、しかも嵌合深さは比較的浅いことから、ハウジング同士が正対せずに斜めに嵌合されてしまう虞がある。そのため、ハウジング同士の斜め嵌合に起因して端子金具同士が不正に当たり合うのを回避するため、両ハウジングを浅く嵌合した状態、即ちレバーを回動させる前の状態では、端子金具同士が接触しないようになっている。
【０００５】
したがって、図９に示すように、レバーの回動の初期（グラフの横軸の左端）では、端子金具間の摩擦抵抗、即ち両ハウジング間の嵌合抵抗Ｒは発生せず、レバーの回動及びハウジングの嵌合が進む途中で、端子金具同士が接触を開始し、端子金具間の摩擦抵抗に起因する嵌合抵抗Ｒが発生することになる。
一方、レバーを一気に正規嵌合位置へ至らしめるための慣性力Ｆは、撓みロック片からレバーが解離した時、即ちレバーの回動を開始するのと同時に発生するのであるが、レバーの回動初期には嵌合抵抗Ｒが発生しないということに鑑みると、回動初期においてはレバーの慣性力Ｆは有効に機能していない。
しかも、慣性力Ｆが働く方向はレバーの回動が進んでもほぼ一定の方向を保つのに対し、レバーの回動が進むのに伴ってレバーの操作部に付与すべき押圧方向は変化するので、慣性力Ｆがレバーの回動に伴って減衰することは避けられない。そのため、嵌合抵抗Ｒが発生した時点で、レバーに付与する操作力を増して慣性力（嵌合力）Ｆを高めるのであるが、減衰の程度が大きいと、その分、慣性力Ｆを復活させるための操作力の付与量も大きくしなければならないので、操作性が低下することになる。
【０００６】
尚、この対策としては、嵌合抵抗Ｒの発生時期を早めて慣性力Ｆの発生時期に近づける方法が考えられるが、嵌合抵抗発生時期を早める（嵌合抵抗Ｒを示す曲線をグラフの左方へ平行移動させる）ことはレバーの回動ストローク（角度）が全体として小さくなる（グラフの横軸が短くなる）ことを意味するため、レバーの回動作業性が悪くなってしまう。これと別の対策としては、当初の慣性力Ｆ（撓みロック片とレバーとの係止力）を嵌合抵抗Ｒに比べて相当に大きい力に設定しておくことも考えられるが、慣性力Ｆを大きくすることは、レバーの回動を開始する際の作業性低下を来すことを意味する。
【０００７】
本願発明は上記事情に鑑みて創案され、レバーの回動作業性の低下を来すことなく慣性ロック機能の信頼性を確保することを目的としている。
【０００８】
【課題を解決するための手段】
請求項１の発明は、第１端子金具を備えた第１ハウジングと、前記第１ハウジングに回動可能に支持され、カム溝を備えたレバーと、カムフォロアを有し、第２端子金具を備えた第２ハウジングと、前記レバーが前記カム溝に対する前記カムフォロアの進入を許容する初期位置にある状態では、前記第１と第２の両端子金具が非接触であり、前記初期位置にある前記レバーを嵌合方向に向かって回動させる過程では、前記カム溝と前記カムフォロアとの係合によるカム作用により前記両ハウジングが嵌合されるとともに、前記レバーの回動の途中で前記第１と第２の両端子金具が接触して嵌合抵抗が発生するようになっているレバー式コネクタにおいて、前記第１ハウジングと前記レバーのうちいずれか一方には撓みロック片が設けられているとともに、他方には、前記レバーの回動が前記初期位置よりも嵌合方向先方であり且つ前記嵌合抵抗の発生位置とほぼ同じ位置又は前記嵌合抵抗の発生位置よりも手前の位置まで前記レバーの嵌合方向への回動が進んだところで前記撓みロック片に突き当たる係止部が設けられており、前記撓みロック片と前記係止部とが突き当たっている状態において前記嵌合抵抗を上回る回動力を前記レバーに付与することにより、前記撓みロック片が弾性撓みしつつ前記係止部から解離し、解離直後の慣性により前記レバーの回動が正規嵌合位置へ一気に進む構成とした。
【０００９】
請求項２の発明は、請求項１の発明において、前記レバーの回動過程では前記レバーの操作部が前記第１ハウジングの外面に沿うように円弧軌跡を描くようになっているレバー式コネクタにおいて、前記撓みロック片と前記係止部とが突き当たる状態では、前記レバーの操作部が前記第１ハウジングの外面から最も離れて位置する構成とした。
請求項３の発明は、請求項１又は請求項２の発明において、前記撓みロック片は、前記第１ハウジング又は前記レバーに対して両端支持されている構成とした。
【００１０】
請求項４の発明は、請求項３の発明において、前記撓みロック片と前記係止部との突き当て方向を、前記撓みロック片の端部同士を結ぶ長さ方向とほぼ同じ方向とした構成とした。
【００１１】
【発明の作用及び効果】
［請求項１の発明］
レバーを一気に正規嵌合位置へ至らしめるための慣性は、初期位置におけるレバーの回動開始と同時に発生するのではなく、レバーの嵌合方向への回動が初期位置よりも先方であり且つ嵌合抵抗の発生位置とほぼ同じ位置又は嵌合抵抗の発生位置よりも手前の位置まで進んだときに発生する。したがって、初期位置にあるレバーが回動を開始するのと同時に慣性が発生するものに比べると、レバーの慣性力を、その減衰の程度が小さいうちに嵌合抵抗に対して有効に作用させることができ、慣性ロック機能の信頼性が高い。
尚、慣性力の発生時期と端子金具同士の接触開始時期については、端子金具同士が接触を開始した直後に慣性力が発生するようにしてもよいが、端子金具同士が非接触の状態で慣性力を発生させることが望ましい。
【００１２】
本発明では、慣性力の発生時期と嵌合抵抗の発生時期とを接近させたので、当初の慣性力を過大に設定する必要がなく、当初の慣性力を過大に設定することに起因して作業性が低下することはない。また、慣性力の発生時期と嵌合抵抗の発生時期とを近づける手段として、慣性力の発生時期を遅らせるようにしたので、嵌合抵抗の発生時期を早めた場合のようにレバーの回動ストロークを全体として小さくする必要がなく、回動ストロークの縮小に起因する作業性の低下も回避されている。
【００１３】
［請求項２の発明］
撓みロック片と係止部が突き当たる状態では、レバーの操作部に対して最も大きな回動力を付与する必要があるが、このとき、操作部は第１ハウジングの外面から最も離れているので、操作部を操作するときに指や手が第１ハウジングと干渉し難くなっており、操作部を操作するときに、第１ハウジングが邪魔にならずに済む。
［請求項３の発明］
撓みロック片は両端支持されているので、片持ち支持の形態の場合に比べて、強度、剛性が高く、異物の干渉に起因する撓みロック片の変形や破損が防止される。
【００１４】
［請求項４の発明］
撓みロック片は、その両端を支持された形態であって、その長さ方向（端部同士を結ぶ方向）への変形が生じ難くなっている。したがって、撓みロック片に対する係止部の突き当て方向を撓みロック片の長さ方向とほぼ同じ方向とすることにより、撓みロック片と係止部との係止力を高め、ひいては、慣性ロック機能の信頼性を高めることができる。
【００１５】
【発明の実施の形態】
［実施形態１］
以下、本発明を具体化した実施形態１を図１乃至図８を参照して説明する。
【００１６】
本実施形態のレバー式コネクタは、第１ハウジング１０と、第２ハウジング２０と、レバー３０とを備えて構成されている。第１ハウジング１０は、合成樹脂製であり、全体として方形のブロック状をなすハウジング本体と、このハウジング本体を包囲する角形の嵌合筒部１２とを有する。コネクタ本体１１の内部には複数の雌形をなす第１端子金具１３が収容されているため、この第１ハウジング１０は雌ハウジングと称することができる。第１端子金具１３は、その前端部に角筒部１３ａを有し、この角筒部１３ａ内には、前方からコネクタ本体１１内に進入した雄形をなす第２端子金具２４のタブ２４ａに対して弾性接触する弾性接触片１３ｂが設けられている。また、嵌合筒部１２は、前方（第２ハウジング２０と対向する方向）に開放されており、嵌合筒部１２の左右両側面には、レバー３０を支持するための一対の支持軸１４が突出形成されている。
【００１７】
同じく嵌合筒部１２の左右両側面には、支持軸１４に対して斜め上後方（図２〜５における斜め右上方）に位置する撓みロック片１５が形成されている。嵌合筒部１２を構成する壁部（側壁部）には、水平方向（両ハウジング１０，２０の嵌合方向と平行な方向）に延びるとともに壁部の内面側から外面側へ連通する上下一対のスリット１６が形成され、このスリット１６の間の部位が撓みロック片１５となっている。つまり、撓みロック片１５は、全体として前後方向に細長い方形状をなし、その前後両端部において嵌合筒部１２に支持されている。換言すると、撓みロック片１５は嵌合筒部１２の壁部の一部を構成している。撓みロック片１５の外面には、係止突起１５ａが外側方へ突出する形態で形成されている。係止突起１５ａは、平面形状が概ね直角三角形状をなし、その前端面は、撓みロック片１５の中央よりも前端側に位置するとともに、撓みロック片１５の長さ方向（前後方向）に対して直角な平坦面となっている。かかる撓みロック片１５は、全体として弓なり状に湾曲しつつ内側へ弾性撓みし得るようになっている。壁部の内面とコネクタ本体１１の外面との隙間は、弾性撓みした撓みロック片１５を収容する（撓みロック片１５の弾性変形を許容する）とともに、第２ハウジング２０端子金具のフード部２１を嵌入させるための空間１７となっている。また、嵌合筒部１２の左右両側壁には前方に開放された切欠部１８が形成されている。
【００１８】
レバー３０は、左右方向に延びる操作部３１と、この操作部３１の左右両端から板状に延出する一対のアーム部３２とからなり、アーム部３２の軸受孔３３を支持軸１４に嵌合させることにより、第１ハウジング１０に対して初期位置（図２を参照）と正規嵌合位置（図５を参照）との間で約９０°の角度、回動し得るようになっている。尚、以下のレバー３０の形状、形態に関する説明は、便宜上、レバー３０が図２及び図３に示す初期位置にある状態を基準として行う。
【００１９】
操作部３１の前端面は、両ハウジング１０，２０の嵌合方向（前後方向）に対して直交する平坦な押圧面３４となっており、初期位置のレバー３０を嵌合方向へ回動させる際には、この押圧面３４を押し操作する。操作部３１は、支持軸１４に対して斜め上前方であって、嵌合筒部１２の上面前端部に当接又は接近した位置にあり、初期位置のレバー３０が嵌合方向への回動を開始するときには操作部３１の変位方向が斜め上後方、即ち押圧面３４に対して概ね４５°の斜め方向となる。
【００２０】
アーム部３２の前端縁は、上下方向に直線状に延びており、側方から（レバー３０の回動中心軸と同方向に）視たときにアーム部３２の前端縁と押圧面３４に対して面一状に連続する。アーム部３２の内面には、支持軸１４を中心とする概ね渦巻き状をなすカム溝３５が形成され、カム溝３５の入口は前方（第２ハウジング２０のカムフォロア２３と対向する方向）に開放されている。アーム部３２の外周縁には、操作部３１から支持軸１４側に向かって斜め下後方へ延びる斜縁部が形成されており、この斜縁部は撓みロック片１５と共同して慣性ロック機能を発揮する係止部３６となっている。レバー３０が初期位置にある状態において、係止部３６は、支持軸１４に対して斜め上前方に位置し、撓みロック片１５に対してはほぼ同じ高さであって撓みロック片１５よりも前方に離間した位置にある。また、アーム部３２には、撓み保持片３７が形成されており、この撓み保持片３７が嵌合筒部１２の切欠部１８の上縁に係止することにより、レバー３０が、初期位置において嵌合方向への回動不能にロックされる。
【００２１】
レバー３０が初期位置にある状態から図２〜５の時計回り方向へ回動する過程では、操作部３１が、第１ハウジング１０の上面に沿うように円弧を描きつつ後方へ変位する。レバー３０が初期位置からほぼ９０°回動すると正規嵌合位置に達し、レバー３０が正規嵌合位置に達すると、操作部３１は、第１ハウジング１０の外面後端部に接近又は当接するように位置する。レバー３０が初期位置にあるとき、操作部３１の押圧面３４は前方を向き、回動が進むのに伴って押圧面３４は斜め上を向くようになり、正規嵌合位置では押圧面３４が真上を向く。
【００２２】
また、レバー３０は、初期位置からほぼ４５°回動すると慣性付与位置（図４を参照）に達し、アーム部３２の係止部３６が撓みロック片１５の前端面に対して前方から突き当たるが、このときの係止部３６の当接方向は、撓みロック片１５の長さ方向（撓みロック片１５における第１ハウジング１０に支持されている前後両端部同士を結ぶ方向）とほぼ平行な方向である。この慣性付与位置では、操作部３１が、支持軸１４のほぼ真上に位置することから、第１ハウジング１０の上面（外面）から最も離れて位置することになる。また、押圧面３４は斜め上前方を向くので、押圧面３４に対する操作力は斜め下後方を向くのであるが、レバー３０が慣性付与位置から正規嵌合位置へ回動する間の操作部３１の変位方向も、概ね斜め下後方を保ち、換言すると、操作部３１は、変位する間、第１ハウジング１０の上面に接近する状態を維持する。
【００２３】
この慣性付与位置において、操作部３１の押圧面３４に対し、後述する嵌合抵抗Ｒを上回る回動力を斜め下後向きに付与すると、撓みロック片１５が内側へ弾性撓みすることにより係止部３６から解離し、その解離直後の慣性によりレバー３０が慣性付与位置から正規嵌合位置まで一気に回動する。つまり、慣性ロック機能が働き、これにより、レバー３０は確実に正規嵌合位置に到達することができる。尚、レバー３０が慣性付与位置から正規嵌合位置に移動する間、弾性ロック片は弾性撓みしたままとなり、アーム部３２の内面には撓みロック片１５の弾性復元力により係止突起１５ａが摺接することになる。
【００２４】
第２ハウジング２０は、合成樹脂製であり、前方に向かって突出する角筒状のフード部２１を有し、フード部２１を第１ハウジング１０のコネクタ本体１１と嵌合筒部１２との隙間の空間１７に嵌入することによって、両ハウジング１０，２０が嵌合される。フード部２１の外側面には、初期位置にロックされているレバー３０をロック解除するための解除リブ２２が、両ハウジング１０，２０の嵌合方向と平行に延びるように形成されている。同じくフード部２１の外側面には、カム溝３５に係合される円形ピン状に突出するカムフォロア２３が形成されている。フード部２１の内部には、第２ハウジング２０に取り付けられている第２端子金具２４の先端のタブ２４ａが突出されており、この第２ハウジング２０は雄ハウジングと称することができる。両ハウジング１０，２０の嵌合が進むの伴い、タブ２４ａが第１ハウジング１０のコネクタ本体１１内に進入して第１端子金具１３と接続する。第１端子金具１３とタブ２４ａとが接触すると、弾性接触片１３ｂの弾性復元力によって弾性接触片１３ｂとタブ２４ａとの間には摩擦抵抗が発生し、この摩擦抵抗が両ハウジング１０，２０間の嵌合抵抗Ｒとなる。
【００２５】
次に、本実施形態の作用を説明する。
両ハウジング１０，２０を嵌合する際には、まず、撓み保持片３７によりレバー３０を初期位置にロックした状態で、両ハウジング１０，２０を浅く嵌合させ、図３に示すように、カムフォロア２３を嵌合筒部１２の切欠部１８内に進入させつつカム溝３５の入口に嵌入する。このとき、解除リブ２２が撓み保持片３７に当接してその撓み保持片３７を切欠部１８の上縁から外側方へ解離させるので、撓み保持片３７によるロックが解除され、レバー３０は正規嵌合位置側へ回動し得る状態となる。この状態では、タブ２４ａはコネクタ本体１１内に進入しておらず、したがって、両端子金具１３，２４の間では摩擦抵抗（嵌合抵抗Ｒ）は発生していない。
【００２６】
この状態から、操作部３１の押圧面３４を後方へ押してレバー３０を回動させると、カム溝３５とカムフォロア２３との係合によるカム作用により、第２ハウジング２０のフード部２１が第１ハウジング１０内に引き込まれ、両ハウジング１０，２０の嵌合が進む。そして、レバー３０が図４に示す慣性付与位置に達すると、係止部３６が撓みロック片１５に係止することによりレバー３０の回動が一旦規制されるとともに、タブ２４ａが弾性接触片１３ｂに接触する状態となる。このタブ２４ａが弾性接触片１３ｂに接触する時期は、レバー３０が慣性付与位置に到達する時期とほぼ同じであればよく、多少前後してもよいが、慣性付与位置にレバー３０が到達した時点ではタブ２４ａと弾性接触片１３ｂとが非接触であることが望ましい。
【００２７】
この状態から、操作部３１に対して所定の力の回動操作力を付与すると、撓みロック片１５が弾性撓みして係止部３６から解離し、解離のために付与された回動操作力が解放されることによって、レバー３０には慣性力Ｆが付与され、その慣性力Ｆによってレバー３０が一気に正規嵌合位置に達するとともに、両ハウジング１０，２０も正規嵌合状態に至る。慣性付与位置から正規嵌合位置側への回動が開始するのとほぼ同時に、タブ２４ａと弾性接触片１３ｂとの間で摩擦抵抗（両ハウジング１０，２０間の嵌合抵抗Ｒ）が発生し、この嵌合抵抗Ｒは正規嵌合の至るまで発生し続ける。尚、嵌合抵抗Ｒの発生時期は慣性付与位置から嵌合方向への回動が開始した後であることが望ましい。レバー３０に付与された慣性力Ｆ（両ハウジング１０，２０を嵌合させる力）は回動が進むのに伴って減衰するのであるが、嵌合抵抗Ｒが発生した時点で、レバー３０に付与する操作力を増すことにより慣性力（嵌合力）Ｆが高められる。そして、この高められた慣性力Ｆにより、レバー３０の正規嵌合位置への回動及び両ハウジング１０，２０の嵌合動作が確実に行われる。
【００２８】
上述のように本実施形態においては、レバー３０を一気に正規嵌合位置へ至らしめるための慣性力Ｆが、初期位置におけるレバー３０の回動開始と同時に発生するのではなく、端子金具の接触に起因する嵌合抵抗Ｒが発生する時期とほぼ同じ時期に発生するようにしたので、初期位置にあるレバー３０が回動を開始するのと同時に慣性が発生するものに比べると、レバー３０の慣性力Ｆを、その減衰の程度が小さいうち嵌合抵抗Ｒに対して有効に作用させることができ、慣性ロック機能の信頼性が高い。
また、慣性力Ｆの発生時期と嵌合抵抗Ｒの発生時期とを概ね同期させたことにより、当初の慣性力Ｆを過大に設定する必要もなくなっているので、当初の慣性力を過大に設定することに起因して作業性が低下することはない。
【００２９】
しかも、慣性力Ｆの発生時期と嵌合抵抗Ｒの発生時期を概ね同期させる手段として、慣性力Ｆの発生時期を遅らせるようにしたので、嵌合抵抗の発生時期を早めた場合のようにレバーの回動ストローク（回動角度）を全体として小さくする必要がなく、レバーの回動ストロークの縮小に起因する作業性の低下も回避されている。
また、レバー３０が撓みロック片１５と係止部３６が突き当たる慣性付与位置にある状態では、レバー３０の操作部３１に対して最も大きな回動力を付与する必要があるが、このとき、操作部３１は第１ハウジング１０の外面（上面）から最も離れているので、操作部３１を操作するときに指や手が第１ハウジング１０と干渉し難くなっており、操作部３１を操作するときに、第１ハウジング１０が邪魔にならずに済んでいる。
【００３０】
しかも、慣性付与位置から正規嵌合位置に回動する際には、操作部３１の変位方向が第１ハウジング１０の上面に向かう方向を保つので、両ハウジング１０，２０及びレバー３０を両手で包むように操作することで、嵌合作業を容易に行うことができる。
また、撓みロック片１５はその前後両端を第１ハウジング１０に支持された形態なので、片持ち支持の形態の場合に比べると、強度と剛性が高く、異物の干渉に起因する撓みロック片１５の変形や破損が防止される。
【００３１】
また、両端を支持された撓みロック片１５は、その長さ方向（端部同士を結ぶ前後方向）への変形が生じ難くなっているのであるが、本実施形態では、撓みロック片１５に対する係止部３６の突き当て方向を撓みロック片１５の長さ方向とほぼ同じ方向としているので、撓みロック片１５と係止部３６との係止力を高め、ひいては、慣性ロック機能の信頼性を高めることが実現されている。
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
【００３２】
（１）上記実施形態では撓みロック片を両端支持としたが、本発明によれば、撓みロック片は、片持ち状に延出する形態でもよい。
（２）上記実施形態では第１ハウジングを雌ハウジングとしたが、本発明によれば、第１ハウジングを雄ハウジングとしてもよい。
（３）上記実施形態では嵌合時におけるレバーの操作部の変位方向を第２ハウジングの移動方向と概ね同じ方向としたが、本発明によれば、第２ハウジングの移動方向と概ね反対方向、又は第２ハウジングの移動方向と概ね直交する方向としてもよい。
【００３３】
（４）上記実施形態では撓みロック片を第１ハウジングに設けるとともに係止部をレバーに設けたが、本発明によれば、撓みロック片をレバーに設け、係止部を第１ハウジングに設けてもよい。
（５）上記実施形態では撓みロック片の弾性撓み方向をレバーの回動中心軸とほぼ同方向としたが、本発明によれば、撓みロック片の弾性撓み方向は径方向としてもよく、周方向としてもよい。
（６）上記実施形態では撓みロック片に対する係止部の突き当て方向を、撓みロック片の長さ方向（第１ハウジングに支持されている端部同士を結ぶ方向）とほぼ同方向としたが、突き当て方向と撓みロック片の長さ方向とがほぼ直交又は斜めに交差するようにしてもよい。
【００３４】
（７）上記実施形態では、レバーを一気に正規嵌合位置へ至らしめるための慣性が、嵌合抵抗の発生時期とほぼ同じ位置までレバーの回動が進んだ時点で発生するようにしたが、本発明によれば、レバーの嵌合方向への回動が初期位置よりも先方であり且つ嵌合抵抗の発生位置よりも手前の位置まで進んだときに慣性力が発生するようにしてもよい。
（８）上記実施形態では、レバーが初期位置からほぼ４５°回動したところで慣性付与位置に到達するようにしたが、本発明によれば、初期位置から慣性付与位置までのレバーの回動角度は４５°よりも小さい角度（例えば、５°〜１０°）としてもよく、４５°よりも大きい角度としてもよい。
【図面の簡単な説明】
【図１】第１ハウジングの正面図
【図２】（ａ）両ハウジングが離間した状態の側面図
（ｂ）両ハウジングが離間した状態の縦断面図
【図３】（ａ）両ハウジングが浅く嵌合した状態の側面図
（ｂ）両ハウジングが浅く嵌合した状態の縦断面図
【図４】（ａ）レバーが撓みロック片に当接した状態の側面図
（ｂ）レバーが撓みロック片に当接した状態の縦断面図
【図５】（ａ）両ハウジングが正規嵌合した状態の側面図
（ｂ）両ハウジングが正規嵌合した状態の縦断面図
【図６】撓みロック片と係止部との係止状態をあらわす部分拡大水平断面図
【図７】撓みロック片が弾性撓みして係止部から解離した状態をあらわす部分拡大水平断面図
【図８】レバーの回動に伴うレバーの慣性力とハウジング間の嵌合抵抗の変化をあらわすグラフ
【図９】従来例におけるレバーの回動に伴うレバーの慣性力とハウジング間の嵌合抵抗の変化をあらわすグラフ
【符号の説明】
１０…第１ハウジング
１３…第１端子金具
１５…撓みロック片
２０…第２ハウジング
２３…カムフォロア
２４…第２端子金具
３０…レバー
３１…操作部
３５…カム溝
３６…係止部
Ｆ…慣性力
Ｒ…嵌合抵抗
【図１】
2004303440.tif 000003
【図２】
2004303440.tif 000004
【図３】
2004303440.tif 000005
【図４】
2004303440.tif 000006
【図５】
2004303440.tif 000007
【図６】
2004303440.tif 000008
【図７】
2004303440.tif 000009
【図８】
2004303440.tif 000010
【図９】
2004303440.tif 000011